(57)【特許請求の範囲】
【請求項１】
マトリクス状に位置する切取り可能な被管理物品片にて形成されたシート状の被管理物品の上に重ねられるシート体と、
このシート体に設けられ、前記被管理物品片に対応する形状のシート片をマトリクス状に形成する切取り部と、
前記シート片に設けられ、前記被管理物品の在庫情報を表示する順次減算された在庫情報表示部とを備え、
前記在庫情報表示部は、
所定の最大在庫情報を表示する一の在庫情報表示部から所定の最小在庫情報を表示する他の在庫情報表示部にわたって、互いに隣接した状態に配置され、
前記シート体の所定方向に沿って位置するシート片を有する一のシート片群では、前記所定方向の一端側から他端側に向って順次減算され、
前記一のシート片群と前記シート体の前記所定方向と交差する方向に隣接する他のシート片群では、前記所定方向の他端側から一端側に向って順次減算されている
ことを特徴とする物品管理用具。
【請求項２】
シート体の所定方向の端縁部に設けられ、在庫情報表示部の減算方向を指示する方向指示切欠き部を備えた
ことを特徴とする請求項１記載の物品管理用具。
【請求項３】
切取り部は、長方形状のシート片の辺に沿って形成された切取り線、および、前記シート片の角部に形成された角切欠き間隙を有する
ことを特徴とする請求項１または２記載の物品管理用具。
【請求項４】
切取り部は、長方形状のシート片の辺に沿って形成された切取り線、および、前記シート片の角部に前記シート片の辺と交差する方向に沿って形成され長手方向の両端部が前記切取り線の端部に連続している切れ線を有し、
前記切れ線は、互いに縦横に隣接する４つの前記シート片を有するシート片群の中央位置で、このシート片群の４つのシート片の中の３つのシート片の角部のみに形成されている
ことを特徴とする請求項１または２記載の物品管理用具。
【請求項５】
在庫情報表示部は、被管理物品片の残り枚数を表示する枚数表示部および被管理物品片の残り金額を表示する金額表示部の少なくとも一方を有する
ことを特徴とする請求項１ないし４のいずれかに記載の物品管理用具。
【請求項６】
被管理物品をシート体とともに挟持する挟持シート体を備えた
ことを特徴とする請求項１ないし５のいずれかに記載の物品管理用具。
【請求項７】
切手、印紙等の切手類単片にて形成された切手類シートの管理に用いる
ことを特徴とする請求項１ないし６のいずれかに記載の物品管理用具。
【発明の詳細な説明】
【０００１】
【発明の属する技術分野】
本発明は、マトリクス状に位置する切取り可能な被管理物品片にて形成されたシート状の被管理物品の管理に用いる物品管理用具に関する。
【０００２】
【従来の技術】
従来、この種の物品管理用具としては、例えば、特許第２９２６０３７号公報に記載の切手類シート管理ファイルが知られている。
【０００３】
この特許第２９２６０３７号公報に記載の切手類シート管理ファイルは、被管理物品である一枚の切手類シートを挟持収容する表側シート部および裏側シート部を備えている。
【０００４】
この表側シート部には、切手類シートの切取り可能な切手単片と同じ形状のシート片をマトリクス状に形成する切取り線部が形成されている。また、このシート片には、切手単片の残り枚数および残り金額を表示する在庫情報表示部が形成されている。
【０００５】
そして、この在庫情報表示部は、表側シート部の縦方向に沿って位置するシート片にて構成された複数列の縦シート片群の各々で同じ方向、例えば縦方向の上から下に向う方向に順次減算されている。
【０００６】
【発明が解決しようとする課題】
しかしながら、上記従来の特許第２９２６０３７号公報に記載の切手類シート管理ファイルでは、在庫情報表示部が複数列の縦シート片群の各々で縦方向の上から下に向う方向に順次減算されている構成であるから、例えば、一の縦シート片群の全部と、この一の縦シート片群に隣接する他の縦シート片群の一部とを切り取る場合に、他の縦シート片群の一部を、一の縦シート片群の全部とともにまとめた状態で、減算方向とは反対方向である縦方向の下から上に向う加算方向に向けて間違って、切り取るおそれがある問題を有している。
【０００７】
本発明は、このような点に鑑みなされたもので、被管理物品を適切に管理できる物品管理用具を提供することを目的とする。
【０００８】
【課題を解決するための手段】
請求項１記載の物品管理用具は、マトリクス状に位置する切取り可能な被管理物品片にて形成されたシート状の被管理物品の上に重ねられるシート体と、このシート体に設けられ、前記被管理物品片に対応する形状のシート片をマトリクス状に形成する切取り部と、前記シート片に設けられ、前記被管理物品の在庫情報を表示する順次減算された在庫情報表示部とを備え、前記在庫情報表示部は、所定の最大在庫情報を表示する一の在庫情報表示部から所定の最小在庫情報を表示する他の在庫情報表示部にわたって、互いに隣接した状態に配置され、シート体の所定方向に沿って位置するシート片を有する一のシート片群では、前記所定方向の一端側から他端側に向って順次減算され、前記一のシート片群と前記シート体の前記所定方向と交差する方向に隣接する他のシート片群では、前記所定方向の他端側から一端側に向って順次減算されているものである。
【０００９】
そして、この構成では、在庫情報表示部が、所定の最大在庫情報を表示する一の在庫情報表示部から所定の最小在庫情報を表示する他の在庫情報表示部にわたって、互いに隣接した状態に配置されているので、シート片を減算方向とは反対方向に間違って切り取ってしまうことがない。また、在庫情報表示部は、一のシート片群では所定方向の一端側から他端側に向って順次減算され、他のシート片群では所定方向の他端側から一端側に向って順次減算されているので、シート片を減算方向とは反対方向に間違って切り取ってしまうことを確実に防止可能である。
【００１０】
請求項２記載の物品管理用具は、請求項１記載の物品管理用具において、シート体の所定方向の端縁部に設けられ、在庫情報表示部の減算方向を指示する方向指示切欠き部を備えたものである。
【００１１】
そして、この構成では、在庫情報表示部の減算方向を指示する方向指示切欠き部を備えているので、シート片を減算方向とは反対方向に間違って切り取ってしまうことをより一層確実に防止可能である。
【００１２】
請求項３記載の物品管理用具は、請求項１または２記載の物品管理用具において、切取り部は、長方形状のシート片の辺に沿って形成された切取り線、および、前記シート片の角部に形成された角切欠き間隙を有するものである。
【００１３】
そして、この構成では、切取り部を切取り線のみで構成した場合等に比べて、シート片を容易に切り取ることができ、被管理物品の管理が簡単になる。
【００１４】
請求項４記載の物品管理用具は、請求項１または２記載の物品管理用具において、切取り部は、長方形状のシート片の辺に沿って形成された切取り線、および、前記シート片の角部に前記シート片の辺と交差する方向に沿って形成され長手方向の両端部が前記切取り線の端部に連続している切れ線を有し、前記切れ線は、互いに縦横に隣接する４つの前記シート片を有するシート片群の中央位置で、このシート片群の４つのシート片の中の３つのシート片の角部のみに形成されているものである。
【００１５】
そして、この構成では、切取り部を切取り線のみで構成等した場合に比べて、シート片を容易に切り取ることができ、被管理物品の管理が簡単となり、また、切れ線を４つのシート片の中の３つのシート片の角部のみに形成したので、切れ線にて不要な切れ片が形成されることがなく、ごみの発生が防止される。
【００１６】
請求項５記載の物品管理用具は、請求項１ないし４のいずれかに記載の物品管理用具において、在庫情報表示部は、被管理物品片の残り枚数を表示する枚数表示部および被管理物品片の残り金額を表示する金額表示部の少なくとも一方を有するものである。
【００１７】
そして、この構成では、在庫情報表示部の枚数表示部で被管理物品片の残り枚数の管理が可能であり、在庫情報表示部の金額表示部で被管理物品片の残り金額の管理が可能となる。
【００１８】
請求項６記載の物品管理用具は、請求項１ないし５のいずれかに記載の物品管理用具において、被管理物品をシート体とともに挟持する挟持シート体を備えたものである。
【００１９】
そして、この構成では、被管理物品をシート体と挟持シート体とで挟持することにより、被管理物品を不用意に損傷してしまうこと等を防止可能である。
【００２０】
請求項７記載の物品管理用具は、請求項１ないし６のいずれかに記載の物品管理用具において、切手、印紙等の切手類単片にて形成された切手類シートの管理に用いるものであり、切手、印紙等の切手類単片にて形成された切手類シートを適切に管理可能である。
【００２１】
【発明の実施の形態】
以下、本発明の物品管理用具の一実施の形態の構成を図面を参照して説明する。
【００２２】
図１ないし図３において、１は物品管理用具で、この物品管理用具１は、マトリクス状に位置する切取り可能な複数枚、例えば１００枚の被管理物品片としての切手類単片2a，2b，……，2nにて形成された長方形で一枚シート状の被管理物品としての切手類シート２の管理に用いるものである。
【００２３】
なお、切手類単片2a，2b，……，2nは、長方形でシート状の切手、すなわち例えば８０円の切手であり、切手類シート２は、切手シート、すなわち例えば８，０００円分の切手シートである。切手類単片2a，2b，……，2nは、切手に限らず、例えば印紙、クーポン券、これらに準ずるシール等でもよい。また、切手類シート２は、切手シートに限らず、例えば印紙シート、クーポン券シート等でもよい。
【００２４】
そして、この物品管理用具１は、切手類シート２の表面上に重ねられるシート体としての表側シート体４と、この表側シート体４とともに切手類シート２を表裏面から挟持収容する挟持シート体としての裏側シート体５とを備えている。
【００２５】
これらの表側シート体４および裏側シート体５の各々は、ともに同じ寸法で、縦方向、つまり図１中、上下方向に長手方向を有する長方形状に形成されている。すなわち、表側シート体４および裏側シート体５の各々は、図１に示されるように、Ｙ方向および反Ｙ方向に長辺方向を有し、かつ、Ｘ方向および反Ｘ方向に短辺方向を有した矩形状に形成されている。
【００２６】
また、これらの表側シート体４および裏側シート体５の各々の横方向の一端縁部、つまり図１中、左端縁部には、細長矩形状の被接着部７，７が縦方向の一端から他端までの全体にわたって形成されている。
【００２７】
そして、表側シート体４の被接着部７の裏面と、裏側シート体５の被接着部７の表面とが、接着剤等にて互いに固着され、表側シート体４と裏側シート体５とが互いに対向して重ね合わされた状態に連結されている。これらの表側シート体４と裏側シート体５との間は、図２に示されるように、被接着部７のみで連結され、表側シート体４の被接着部７以外の部分と裏側シート体５の被接着部７以外の部分との間に切手類シート２を挿脱可能に挟持収容する収容部８が形成されている。
【００２８】
なお、表側シート体４の被接着部７の長手方向の一端部表面、つまり図１中、上端部表面には、被管理物品内容表示部10が形成され、この被管理物品内容表示部10は、例えば「８０円切手  １シート（１００枚）  ８，０００円」と表示している。
【００２９】
表側シート体４は、シート片11を形成する切取り部13が互いに直交する縦方向および横方向に沿って設けられている。すなわち、この切取り部13にて切手類単片2a，2b，……，2nに対応する形状、すなわち例えば切手類単片2a，2b，……と同じ長方形状のシート片11、すなわちシート片11a，11b，……，11nがマトリクス状に形成されている。
【００３０】
この切取り部13は、例えば、長方形状のシート片11a，11b，……，11nの各辺に沿って位置する複数の貫通孔で形成されたミシン目等の切取り線14と、この切取り線14の端部に連続したシート片11a，11b，……，11nの角部に位置する四つの略三角形状の切欠きによって形成された四角形状の角切欠き間隙15とにて構成されている。
【００３１】
そして、これらのマトリクス状に位置する切取り可能なシート片11a，11b，……，11nの表面には、切手類シート２の在庫情報を表示する順次減算された在庫情報表示部16が、印刷等の手段により形成されている。この在庫情報表示部16は、例えば、切手類単片2a，2b，……，2nの残り枚数を表示する枚数表示部17と、この枚数表示部17に対応した切手類単片2a，2b，……の残り金額を表示する金額表示部18とにて構成されている。
【００３２】
そして、これら枚数表示部17および金額表示部18にて構成された在庫情報表示部16は、所定の最大在庫情報を表示する一の在庫情報表示部16から所定の最小在庫情報を表示する他の在庫情報表示部16の全部にわたって、互いに隣接した状態に配置されている。
【００３３】
すなわち、在庫情報表示部16は、表側シート体４の所定方向、例えば縦方向に沿って位置する複数枚、例えば１０枚のシート片11a，11b，……を有する一のシート片群12では、縦方向の一端側である上端側から他端側である下端側に向って、つまり、反Ｙ方向に向って順次減算されている。また、在庫情報表示部16は、その一のシート片群12と表側シート体４の縦方向と交差する横方向に隣接する他のシート片群12では、縦方向の他端側である下端側から一端側である上端側に向って、つまり、Ｙ方向に向って順次減算されている。
【００３４】
また、在庫情報表示部16の枚数表示部17は、例えば、「１００枚、９９枚、……１枚」という順次１ずつ減算された枚数表示である。また、在庫情報表示部16の金額表示部18は、例えば、「８，０００円、７，９２０円、……８０円」という順次８０ずつ減算された金額表示である。
【００３５】
そして、例えば、表側シート体４の角部、例えば図１中、右上角部に位置するシート片11aには、所定の最大在庫情報を表示する在庫情報表示部16として、「１００枚」という枚数表示部17および「８，０００円」という金額表示部18が形成されている。
【００３６】
また、例えば、表側シート体４の角部、例えば図１中、左上角部近傍に位置するシート片11nには、所定の最小在庫情報を表示する在庫情報表示部16として、「１枚」という枚数表示部17および「８０円」という金額表示部18が形成されている。なお、シート片11a，11b，……，11nの表面には、在庫情報表示部16に加えて、この在庫情報表示部16の減算方向である切取り方向を示す矢印表示部19が形成され、この矢印表示部19と在庫情報表示部16とは重なり合っている。
【００３７】
また一方、表側シート体４の縦方向の両端縁部である上端縁部および下端縁部には、在庫情報表示部16の減算方向を指示する略三角形状の方向指示切欠き部20が形成されている。
【００３８】
この方向指示切欠き部20は、表側シート体４の端縁部に沿って互いに所定の間隔を介して並んで位置し、切取り線14の端部に連続して位置している。
【００３９】
すなわち、方向指示切欠き部20は、表側シート体４の縦方向に沿って位置する複数枚、例えば１０枚のシート片11のうちの、在庫情報表示部16の減算方向上流端に位置するシート片11の表側シート体４の周縁に位置する一の角部つまり被接着部７側である反Ｘ方向側の角部と、表側シート体４の縦方向に沿って位置する複数枚、例えば１０枚のシート片11のうちの、在庫情報表示部16の減算方向下流端に位置するシート片11の表側シート体４の周縁に位置する一の角部であるＸ方向側の角部とに形成されている。
【００４０】
さらに、表側シート体４の横方向の一端縁部、つまり図１中、左端縁部の近傍には、細長矩形状の位置決め固定用の余白部21が、縦方向の一端から他端までの全体にわたって形成されている。この余白部21は、所定の最小在庫情報を表示する在庫情報表示部16が形成されたシート片11nを含むシート片群12と、この表側シート体４の被接着部７との間に位置している。
【００４１】
そして、収容部８に収容した切手類シート２は、額縁の部分を位置決め固定用の余白部21の複数箇所、例えば二箇所の部分21a，21bにホッチキス止めすることにより、表側シート体４および裏側シート体５に対して位置決め固定して、収容部８内から不用意に抜け出ることを防止する。
【００４２】
一方、裏側シート体５は、表面に縦方向および横方向に沿った複数の等間隔平行線25が引かれ、この平行線25によって各シート片11に対応する長方形状の販売情報記載部としての販売日および氏名記載欄26が形成されている。なお、販売日および氏名記載欄26は、例えば、予め「販売日（  /  ）  氏名」と記載されており、販売担当者は、切手類単片2a，2b，……，2nを販売した場合、販売日およびその販売担当者自身の氏名を筆記具等でその記載欄26内に記載する。
【００４３】
次に、上記一実施の形態の物品管理用具１を用いて切手類シート２を管理する場合について説明する。
【００４４】
まず、物品管理用具１の収容部８内に切手類シート２を差し込み、この切手類シート２を表側シート体４と裏側シート体５とで挟持させ、これらの表側シート体４、切手類シート２および裏側シート体５を三層状態にする。
【００４５】
その後、図示しないホッチキスを用いて、切手類シート２の額縁の部分を位置決め固定用の余白部21の複数箇所21a，21bにホッチキス止めをすることによって、切手類シート２を表側シート体４および裏側シート体５に対して位置決め固定する。
【００４６】
そして、顧客の要求に応じて、切手類シート２の切手類単片2a，2b，……，2nを販売する場合、所定枚数の切手類単片2a，2b，……とともに、この切手類単片2a，2b，……と対向して位置するシート片11a，11b，……を在庫情報表示部16の減算方向に向けて切り取り、この切り取った切手類単片2a，2b，……およびシート片11a，11b，……のうち、切手類単片2a，2b，……のみを顧客に渡す。
【００４７】
ここで、例えば、最初の状態から１１枚の８０円の切手である切手類単片2a，2b，……を、対応する１１枚のシート片11a，11b，……とともに切り取る場合、シート片11aの方向指示切欠き部20の存在を確認し、この方向指示切欠き部20から切取り動作を開始する。
【００４８】
そして、表側シート体４の縦方向に沿って位置する１０枚のシート片11a，11b，……を対応する１０枚の切手とともに切り取ると同時に、これらのシート片11a，11b，……の中の在庫情報表示部16の減算方向下流端に位置するシート片11と反Ｘ方向に隣接している一枚のシート片11を、方向指示切欠き部20の存在を確認した後、対応する１枚の切手とともに切り取る。すなわち、１１枚の切手類単片2a，2b，……と１１枚のシート片11a，11b，……とを、それぞれ、一枚のシートして正しい減算方向に切り取ることができる。
【００４９】
また、必要に応じて、切手類シート２の在庫情報を確認する場合、残っているシート片11のうちの減算方向上流端に位置するシート片11の在庫情報表示部16を見ることにより、切手類単片2a，2b，……，2nの残り枚数と残り金額とを確認できる。例えば、図３に示す状態にある場合、「７４枚  ５，９２０円」という在庫情報表示部16を一見することで、切手類単片2a，2b，……，2nの残り枚数と残り金額とを瞬時に確認できる。
【００５０】
このように、上記一実施の形態によれば、シート片11の在庫情報表示部16の減算方向がＹ方向と反Ｙ方向とに変更することにより、在庫情報表示部16としての枚数表示部17および金額表示部18が、所定の最大在庫情報を表示する一の在庫情報表示部16から所定の最小在庫情報を表示する他の在庫情報表示部16にわたって、互いに隣接した状態に配置されている。
【００５１】
このため、方向指示切欠き部20が存在することと相俟って、表側シート体４のシート片11を減算方向とは反対方向である加算方向に間違って切り取ってしまうことを確実に防止でき、よって、切手類単片2a，2b，……の在庫確認のミスを効果的に防止でき、切手類シート２を適切に管理できる。
【００５２】
しかも、顧客の要求に応じた所定枚数の切手類単片2a，2b，……，2nを、常に一枚のシート状に切り取ることができるため、従来とは異なりバラバラの二つの切手類単片2a，2b，……を顧客に渡すことを回避でき、切手類単片2a，2b，……，2nの販売時の作業性を向上できる。
【００５３】
また、シート片11を形成する切取り部13をシート片11の辺に沿って位置する切取り線14とシート片11の角部に位置する角切欠き間隙15とにて構成したので、図示しない切取り部を切取り線のみで構成した場合に比べて、シート片11を容易に切り取ることができ、切手類シート２の管理を簡単にできる。
【００５４】
さらに、表側シート体４が不透明シートである場合でも、切取り部13の角切欠き間隙15を利用して、切手類シート２の存在を簡単に確認できる。
【００５５】
また、切手類シート２を表側シート体４と裏側シート体５とで挟持し、収容部８内に収容するので、切手類シート２を不用意に引っ掛けて破損してしまうこと等を防止でき、切手類シート２の保護を図れる。
【００５６】
なお、上記実施の形態においては、切取り部13は、長方形状のシート片11の辺に沿って形成されたミシン目等の切取り線14とシート片11の角部に形成された角切欠き間隙15とを有する構成について説明したが、例えば、図４および図５に示す構成の切取り部33でもよい。
【００５７】
この図４および図５の切取り部33は、長方形状のシート片11の辺に沿って形成されたミシン目等の切取り線34を有するとともに、長方形状のシート片11の角部にこのシート片11の辺と交差する方向に沿って形成された破断線等の切れ線35a，35b，35cを有している。切れ線35a，35b，35cの各々は、長手方向の両端部が対応する切取り線34の端部に連続している。また、切れ線35a，35b，35cは、互いに縦横に隣接する４つのシート片11を有するシート片群36の中央位置において、このシート片群36の４つのシート片11の中の３つのシート片11の角部のみに形成されている。
【００５８】
そして、この図４および図５の切取り部33を備えた物品管理用具１では、図１に示す物品管理用具１と同様の作用効果を奏するばかりでなく、切れ線35a，35b，35cを利用することによってシート片11を容易に切り取ることができ、しかも、切れ線35a，35b，35cを互いに縦横に隣接する４つのシート片11の中の３つのシート片11の角部のみに形成したので、切れ線35a，35b，35cにて形成された部分37はシート片11から分離されないため、切れ線35a，35b，35cにて不要な切れ片、つまり、シート体からの分離片が形成されず、ごみの発生を防止できる。
【００５９】
また、上記いずれの実施の形態においても、物品管理用具１は、切手類シート２の管理に用いるものとして説明したが、例えば、切手類シート以外の他の各種シート状の被管理物品にも適用できる。
【００６０】
さらに、上記いずれの実施の形態においても、在庫情報表示部16は、表側シート体４の縦方向に沿って位置する一のシート片群12では、反Ｙ方向に向って順次減算され、この一のシート片群12と表側シート体４の縦方向と交差する横方向に隣接する残りの他のシート片群12では、Ｙ方向に向って順次減算されていると説明したが、例えば、在庫情報表示部16は、表側シート体４の横方向に沿って位置する一のシート片群12では、反Ｘ方向に向って順次減算され、この一のシート片群12と表側シート体４の横方向と交差する縦方向に隣接する残りの他のシート片群12では、Ｘ方向に向って順次減算されている構成でも、同様の作用効果を奏する。
【００６１】
また、上記いずれの実施の形態においても、在庫情報表示部16は、枚数表示部17および金額表示部18を有する構成として説明したが、例えば、枚数表示部17のみの構成や、金額表示部18のみの構成でもよく、枚数表示部17および金額表示部18以外の他の在庫情報を表示するものでもよい。
【００６２】
さらに、上記いずれの実施の形態でも、物品管理用具１は、シート体としての表側シート体４と、挟持シート体としての裏側シート体５とを備えた構成として説明したが、例えば、裏側シート体５は必ずしも必要でなく、表側シート体４のみの構成でもよい。また、表側シート体４および裏側シート体５の互いに直交する二辺を固着してファイル状にしてもよい。
【００６３】
【発明の効果】
請求項１記載の発明によれば、在庫情報表示部が、所定の最大在庫情報を表示する一の在庫情報表示部から所定の最小在庫情報を表示する他の在庫情報表示部にわたって、互いに隣接した状態に配置されているので、シート片を減算方向とは反対方向に間違って切り取ってしまうことがなく、被管理物品を適切に管理できる。また、在庫情報表示部は、一のシート片群では所定方向の一端側から他端側に向って順次減算され、他のシート片群では所定方向の他端側から一端側に向って順次減算されているので、シート片を減算方向とは反対方向に間違って切り取ってしまうことを確実に防止でき、被管理物品をより一層適切に管理できる。
【００６４】
請求項２記載の発明によれば、在庫情報表示部の減算方向を指示する方向指示切欠き部を備えているので、シート片を減算方向とは反対方向に間違って切り取ってしまうことをより一層確実に防止できる。
【００６５】
請求項３記載の発明によれば、切取り部を切取り線のみで構成等した場合に比べて、シート片を容易に切り取ることができ、被管理物品の管理を簡単にできる。また、シート体が不透明シートである場合でも、角切欠き間隙を利用して被管理物品の存在を簡単に確認できる。
【００６６】
請求項４記載の発明によれば、切取り部を切取り線のみで構成等した場合に比べて、シート片を容易に切り取ることができ、被管理物品の管理を簡単にできる。また、切れ線を４つのシート片の中の３つのシート片の角部のみに形成したので、切れ線にて不要な切れ片が形成されることがなく、ごみの発生を防止できる。
【００６７】
請求項５記載の発明によれば、在庫情報表示部の枚数表示部で被管理物品片の残り枚数を管理でき、在庫情報表示部の金額表示部で被管理物品片の残り金額を管理できる。
【００６８】
請求項６記載の発明によれば、被管理物品をシート体と挟持シート体とで挟持することにより、被管理物品を不用意に損傷してしまうこと等を防止できる。
【００６９】
請求項７記載の発明によれば、切手、印紙等の切手類単片にて形成された切手類シートを適切に管理できる。
【図面の簡単な説明】
【図１】本発明の物品管理用具の一実施の形態を示す正面図である。
【図２】同上物品管理用具を示す斜視図である。
【図３】同上物品管理用具の使用状態を示す斜視図である。
【図４】本発明の物品管理用具の他の実施の形態を示す一部正面図である。
【図５】同上物品管理用具を示す一部斜視図である。
【符号の説明】
１    物品管理用具
2a，2b，……，2n    被管理物品片としての切手類単片
２    被管理物品としての切手類シート
４    シート体としての表側シート体
５    挟持シート体としての裏側シート体
11（11a，11b，……，11n）    シート片
12    シート片群
13，33    切取り部
14    切取り線
15    角切欠き間隙
16    在庫情報表示部
17    枚数表示部
18    金額表示部
20    方向指示切欠き部
34    切取り線
35    切れ線
【図１】
0003616558.tif 000002
【図２】
0003616558.tif 000003
【図３】
0003616558.tif 000004
【図４】
0003616558.tif 000005
【図５】
0003616558.tif 000006